(57)【要約】【課題】  動物捕獲装置を設置する際に地面を掘る必要がなく、容易に設置することができる動物捕獲装置を提供する。【解決手段】  動物捕獲装置は、装置本体部５と、作動部材１００とを有し、装置本体部５におけるコイルバネ８０を縮めた状態で、作動部材１００における回動片１０６ｂ−１を筒状部１０の開口部１６とキャップ部２０の開口部２６に掛止させてコイルバネ８０を縮めた状態で維持させる。動物が踏み板１０８を踏むと、回動片１０６ｂ−１の掛止が解除されてコイルバネ８０が復元し、ループ状部５０が縮小化する。筒状部１０を横方向に用いる場合には、作動部材１００を用いるが、筒状部１０を縦方向に用いるための作動部材を用いることにより、筒状部１０を縦方向にも用いることができる。【選択図】        図５
2006006234.tif 000002
【特許請求の範囲】
【請求項１】
動物を捕獲するための動物捕獲装置であって、
装置本体部と、該装置本体部を作動させるための作動部材とを有し、
該装置本体部が、
筒状を呈し、一端側に内部に収納されるコイルバネの一方の端部を受けるための受け部を有する筒状部で、該作動部材の掛止片が掛止するための掛止手段を有する筒状部と、
該筒状部に設けられるキャップ部で、該コイルバネの他方の端部を受ける受け部を有し、該作動部材の掛止片が掛止するための第２掛止手段を有するキャップ部と、
該筒状部における受け部と該キャップ部における受け部間に設けられたコイルバネと、
該コイルバネの内側に挿通されるとともに、少なくとも該キャップ部を貫通して設けられるワイヤを有するワイヤ部で、該ワイヤにおける該キャップ部から外側に突出した部分に、該ワイヤがループ状に形成された部分を有するループ状部を有し、該コイルバネの復元力によりコイルバネが伸びた際に該キャップ部がループ状部に対して相対的に移動することにより該ループ状部が縮小するよう形成されたワイヤ部と、
を有し、
該作動部材が、
踏み板と、
該踏み板を支持する支持部と、
該支持部に設けられた該掛止片で、該踏み板の面に対して少なくとも略直角方向を向いた掛止片と、
を有し、
該コイルバネを縮めて該キャップ部を筒状部の端部に被らせた状態で、該作動部材の掛止片を該掛止手段及び第２掛止手段に掛止させた場合に、コイルバネが縮んだ状態で維持されるとともに、該筒状部の軸線方向と該作動部材の踏み板の面とが略平行になるように構成され、該踏み板を踏むことにより該掛止片の掛止手段への掛止が解除された場合に、該コイルバネが復元して該ループ状部が縮小することにより動物の脚を捕捉することを特徴とする動物捕獲装置。
【請求項２】
上記動物捕獲装置が、さらに、
上記作動部材と取り替えて使用可能な第２作動部材で、
踏み板と、
該踏み板を支持する支持部と、
該支持部に設けられた掛止片で、該踏み板の面に対して少なくとも略平行な方向を向いた掛止片と、
を有する第２作動部材を有し、
該コイルバネを縮めて該キャップ部を筒状部の端部に被らせた状態で、該作動部材の掛止片を該掛止手段及び第２掛止手段に掛止させた場合に、コイルバネが縮んだ状態で維持されるとともに、該筒状部の軸線方向と該作動部材の踏み板の面とが略直角になるように構成され、該踏み板を踏むことにより該掛止片の掛止手段への掛止が解除された場合に、該コイルバネが復元して該ループ状部が縮小することにより動物の脚を捕捉することを特徴とする請求項１に記載の動物捕獲装置。
【請求項３】
上記ワイヤが上記筒状部からキャップ部側とは反対側である外側に突出し、該突出したワイヤの端部には、ワイヤをループ状に形成された部分を有する第２ループ状部が設けられていることを特徴とする請求項１又は２に記載の動物捕獲装置。
【請求項４】
動物を捕獲するための動物捕獲装置であって、
装置本体部と、該装置本体部を作動させるための作動部材とを有し、
該装置本体部が、
筒状を呈し、一端側に内部に収納されるコイルバネの一方の端部を受けるための受け部を有する筒状部と、
該筒状部に設けられるキャップ部で、該コイルバネの他方の端部を受ける受け部を有するキャップ部と、
該筒状部における受け部と該キャップ部における受け部間に設けられたコイルバネと、
該コイルバネの内側に挿通されるとともに、少なくとも該筒状部を貫通して設けられるワイヤを有するワイヤ部で、該筒状部における端部から外側に突出した端部に、該ワイヤがループ状に形成された部分を有するループ状部を有し、さらに、ワイヤの所定位置に作動部材における掛止片が掛止するための掛止用部材を有し、該コイルバネの復元力によりコイルバネが伸びた際に該ループ状部が縮小するよう形成されたワイヤ部と、
を有し、
該作動部材が、
踏み板と、
該踏み板を支持する支持部と、
該支持部に設けられた該掛止片で、該踏み板の面に対して少なくとも略直角方向を向いた掛止片と、
を有し、
該コイルバネを縮めて該キャップ部を筒状部の端部に被らせた状態で、該掛止用部材が筒状部のループ状部側の端部から露出して、該掛止用部材と筒状部の端部間に該作動部材の掛止片を掛止させることにより、コイルバネが縮んだ状態で維持されるとともに、該筒状部の軸線方向と該作動部材の踏み板の面とが略平行になるように構成され、該踏み板を踏むことにより該掛止片の掛止用部材との掛止が解除された場合に、該コイルバネが復元して該ループ状部が縮小することにより動物の脚を捕捉することを特徴とする動物捕獲装置。
【請求項５】
上記ワイヤが上記キャップ部から筒状部側とは反対側である外側に突出し、該突出したワイヤの端部には、ワイヤをループ状に形成された部分を有する第２ループ状部が設けられていることを特徴とする請求項４に記載の動物捕獲装置。
【請求項６】
上記コイルバネの内側におけるキャップ部側には、筒状を呈する内部筒状部が設けられ、該内部筒状部には、上記ワイヤが挿通されていることを特徴とする請求項１又は２又は３又は４又は５に記載の動物捕獲装置。
【請求項７】
上記ループ状部には、ループ状部の縮小を所定の位置で停止するための停止手段が設けられている請求項１又は２又は３又は４又は５又は６に記載の動物捕獲装置。
【発明の詳細な説明】
【技術分野】
【０００１】
本発明は、動物捕獲装置に関するものである。
【背景技術】
【０００２】
従来、動物を捕獲する罠としての動物捕獲装置としては、特許文献１に示す捕獣用罠や、特許文献２に示す動物捕獲装置が存在する。
【特許文献１】特開２００１−１７０５９号公報
【特許文献２】特開平１１−１２７７６０号公報
【発明の開示】
【発明が解決しようとする課題】
【０００３】
しかし、上記特許文献１に示す捕獣用罠においては、罠を仕掛ける際には、筒形本体を地中に埋めなければならず、地面を掘る作業が必要となる。また、上記特許文献２に示す動物捕獲装置においても、第１筒部や第２筒部を縦置きにして地中に埋めることから、地面を掘る作業が必要になる。
【０００４】
従って、上記特許文献１や特許文献２に示す装置においては、罠を仕掛ける際に地面を掘る作業が必要となり、地面が固い場合等地面を掘ることができない場合には、罠を仕掛けることができないという問題がある。
【０００５】
そこで、本発明は、動物捕獲装置を設置する際に地面を掘る必要がなく、容易に設置することができる動物捕獲装置を提供することを目的とするものである。
【課題を解決するための手段】
【０００６】
本発明は上記問題点を解決するために創作されたものであって、第１には、動物を捕獲するための動物捕獲装置であって、装置本体部と、該装置本体部を作動させるための作動部材とを有し、該装置本体部が、筒状を呈し、一端側に内部に収納されるコイルバネの一方の端部を受けるための受け部を有する筒状部で、該作動部材の掛止片が掛止するための掛止手段を有する筒状部と、該筒状部に設けられるキャップ部で、該コイルバネの他方の端部を受ける受け部を有し、該作動部材の掛止片が掛止するための第２掛止手段を有するキャップ部と、該筒状部における受け部と該キャップ部における受け部間に設けられたコイルバネと、該コイルバネの内側に挿通されるとともに、少なくとも該キャップ部を貫通して設けられるワイヤを有するワイヤ部で、該ワイヤにおける該キャップ部から外側に突出した部分に、該ワイヤがループ状に形成された部分を有するループ状部を有し、該コイルバネの復元力によりコイルバネが伸びた際に該キャップ部がループ状部に対して相対的に移動することにより該ループ状部が縮小するよう形成されたワイヤ部と、を有し、該作動部材が、踏み板と、該踏み板を支持する支持部と、該支持部に設けられた該掛止片で、該踏み板の面に対して少なくとも略直角方向（「直角方向」としてもよい）を向いた掛止片と、を有し、該コイルバネを縮めて該キャップ部を筒状部の端部に被らせた状態で、該作動部材の掛止片を該掛止手段及び第２掛止手段に掛止させた場合に、コイルバネが縮んだ状態で維持されるとともに、該筒状部の軸線方向と該作動部材の踏み板の面とが略平行（「平行」としてもよい）になるように構成され、該踏み板を踏むことにより該掛止片の掛止手段への掛止が解除された場合に、該コイルバネが復元して該ループ状部が縮小することにより動物の脚を捕捉することを特徴とする。
【０００７】
この第１の構成の動物捕獲装置においては、筒状部とキャップ部とを近づけてコイルバネを縮めていき、該キャップ部を筒状部の端部に被らせた状態で、該作動部材の掛止片を該掛止手段及び第２掛止手段に掛止させる。すると、コイルバネが縮んだ状態で維持される。そして、その状態では、該筒状部の軸線方向と該作動部材の踏み板の面とが略平行になるので、踏み板を水平方向に設置する場合には、筒状部も水平方向となり、よって、筒状部を横方向に設置できるので、地面に穴を掘る必要がなく、これにより、地面が固くて掘ることができない場合でも動物捕獲装置を仕掛けることができる。
【０００８】
また、第２には、上記動物捕獲装置が、さらに、上記作動部材と取り替えて使用可能な第２作動部材で、踏み板と、該踏み板を支持する支持部と、該支持部に設けられた掛止片で、該踏み板の面に対して少なくとも略平行（「平行」としてもよい）な方向を向いた掛止片と、を有する第２作動部材を有し、該コイルバネを縮めて該キャップ部を筒状部の端部に被らせた状態で、該作動部材の掛止片を該掛止手段及び第２掛止手段に掛止させた場合に、コイルバネが縮んだ状態で維持されるとともに、該筒状部の軸線方向と該作動部材の踏み板の面とが略直角（「直角」としてもよい）になるように構成され、該踏み板を踏むことにより該掛止片の掛止手段への掛止が解除された場合に、該コイルバネが復元して該ループ状部が縮小することにより動物の脚を捕捉することを特徴とする。
【０００９】
この第２の構成によれば、上記第１の構成における作動部材に代えて第２作動部材を用いることにより、筒状部を縦方向にして動物捕獲装置を設置することができ、上記第１の構成における作動部材と第２作動部材とを使い分けることにより、筒状部を横方向にも縦方向にも使用することができ、状況に応じて、筒状部の設置方向を選択することができる。また、作動部材を取り替えるのみで他の部材は共用できるので、経済的である。
【００１０】
また、第３には、上記第１又は第２の構成において、上記ワイヤが上記筒状部からキャップ部側とは反対側である外側に突出し、該突出したワイヤの端部には、ワイヤをループ状に形成された部分を有する第２ループ状部が設けられていることを特徴とする。この第２ループ状部を樹木等に掛止することにより、動物捕獲装置を固定することができ、脚を捕捉された動物が動物捕獲装置ごと逃走することを防止することができる。
【００１１】
なお、上記第１から第３までの構成において、上記ワイヤにおける上記筒状部から第２ループ状部側に露出した部分における第２ループ状部よりも手前側の位置には、該露出した部分が筒状部側に移動するのを規制する規制手段が設けられていることを特徴とするものとしてもよい。また、上記第１から第３までの構成において、上記掛止手段や第２掛止手段は、開口部であるとしてもよい。また、上記第１から第３までの構成において、作動部材における支持部には、筒状部と当接して作動部材の姿勢を安定させるための突出部が設けられているものとしてもよい。
【００１２】
また、第４には、動物を捕獲するための動物捕獲装置であって、装置本体部と、該装置本体部を作動させるための作動部材とを有し、該装置本体部が、筒状を呈し、一端側に内部に収納されるコイルバネの一方の端部を受けるための受け部を有する筒状部と、該筒状部に設けられるキャップ部で、該コイルバネの他方の端部を受ける受け部を有するキャップ部と、該筒状部における受け部と該キャップ部における受け部間に設けられたコイルバネと、該コイルバネの内側に挿通されるとともに、少なくとも該筒状部を貫通して設けられるワイヤを有するワイヤ部で、該筒状部における端部から外側に突出した端部に、該ワイヤがループ状に形成された部分を有するループ状部を有し、さらに、ワイヤの所定位置に作動部材における掛止片が掛止するための掛止用部材を有し、該コイルバネの復元力によりコイルバネが伸びた際に該ループ状部が縮小するよう形成されたワイヤ部と、を有し、該作動部材が、踏み板と、該踏み板を支持する支持部と、該支持部に設けられた該掛止片で、該踏み板の面に対して少なくとも略直角方向（「直角方向」としてもよい）を向いた掛止片と、を有し、該コイルバネを縮めて該キャップ部を筒状部の端部に被らせた状態で、該掛止用部材が筒状部のループ状部側の端部から露出して、該掛止用部材と筒状部の端部間に該作動部材の掛止片を掛止させることにより、コイルバネが縮んだ状態で維持されるとともに、該筒状部の軸線方向と該作動部材の踏み板の面とが略平行（「平行」としてもよい）になるように構成され、該踏み板を踏むことにより該掛止片の掛止用部材との掛止が解除された場合に、該コイルバネが復元して該ループ状部が縮小することにより動物の脚を捕捉することを特徴とする。
【００１３】
この第４の構成の動物捕獲装置においては、筒状部とキャップ部とを近づけてコイルバネを縮めていき、該キャップ部を筒状部の端部に被らせた状態で、該掛止用部材が筒状部のループ状部側の端部から露出するので、該掛止用部材と筒状部の端部間に該作動部材の掛止片を掛止させる。すると、コイルバネが縮んだ状態で維持される。そして、その状態では、該筒状部の軸線方向と該作動部材の踏み板の面とが略平行になるので、踏み板を水平方向に設置する場合には、筒状部も水平方向となり、よって、筒状部を横方向に設置できるので、地面に穴を掘る必要がなく、これにより、地面が固くて掘ることができない場合でも動物捕獲装置を仕掛けることができる。
【００１４】
また、第５には、上記第４の構成において、上記ワイヤが上記キャップ部から筒状部側とは反対側である外側に突出し、該突出したワイヤの端部には、ワイヤをループ状に形成された部分を有する第２ループ状部が設けられていることを特徴とする。この第２ループ状部を樹木等に掛止することにより、動物捕獲装置を固定することができ、脚を捕捉された動物が動物捕獲装置ごと逃走することを防止することができる。
【００１５】
なお、上記第５の構成において、上記筒状部には、地面等の被設置箇所に固定するための固定用部材が設けられているものとしてもよい。また、上記第５の構成において、上記ワイヤにおける上記キャップ部から第２ループ側に露出した部分における第２ループ状部よりも手前側の位置には、該露出した部分が筒状部側に移動するのを規制する規制手段が設けられているものとしてもよい。また、上記第５の構成において、筒状部とキャップ部とに仮止め用の開口部が設けられているものとしてもよい。
【００１６】
また、第６には、上記第１から第５までのいずれかの構成において、上記コイルバネの内側におけるキャップ部側には、筒状を呈する内部筒状部が設けられ、該内部筒状部には、上記ワイヤが挿通されていることを特徴とする。この内部筒状部が設けられていることにより、この内部筒状部がコイルバネを縮める際の案内パイプとして機能し、コイルバネを縮める作業を容易に行うことができる。
【００１７】
また、第７には、上記第１から第６までのいずれかの構成において、上記ループ状部には、ループ状部の縮小を所定の位置で停止するための停止手段が設けられている。これにより、コイルバネの縮んだ状態が解除されてコイルバネが復元された場合に、ループ状部は縮小化するが、この停止手段により所定の時点で縮小を停止させることができ、よって、ループの大きさを所定の大きさよりも小さくするのを防止するので、捕獲対象の動物よりも小さい動物を保護することができる。
【００１８】
なお、上記の構成において、作動部材に設けられた掛止片は、回動可能に形成されているものとしてもよい。回動可能に形成する方法としては、例えば、ヒンジ機構により回動可能に構成することが考えられる。
【発明の効果】
【００１９】
本発明に基づく動物捕獲装置によれば、該キャップ部を筒状部の端部に被らせた状態として、コイルバネが縮んだ状態で維持された状態では、該筒状部の軸線方向と該作動部材の踏み板の面とが略平行になるので、踏み板を水平方向に設置する場合には、筒状部も水平方向となり、よって、筒状部を横方向に設置できるので、地面に穴を掘る必要がなく、これにより、地面が固くて掘ることができない場合でも動物捕獲装置を仕掛けることができる。
【００２０】
また、作動部材と第２作動部材とを使い分けることにより、筒状部を横方向にも縦方向にも設置することができるので、状況に応じて、筒状部の設置方向を選択することができる。また、作動部材を取り替えるのみで他の部材は共用できるので、経済的である。
【発明を実施するための最良の形態】
【００２１】
本発明においては、動物捕獲装置を設置する際に地面を掘る必要がなく、容易に設置することができるという目的を以下のようにして実現した。
【実施例１】
【００２２】
本発明の実施例１に基づく動物捕獲装置は、装置本体部５（図１、図４等参照）と、作動部材１００（図２参照）と、作動部材１２０（図３参照）とを有している。
【００２３】
ここで、装置本体部５は、図１、図４等に示すように構成され、筒状部１０と、キャップ部２０と、内部筒状部３０と、ワイヤ部４０と、コイルバネ８０とを有している。なお、図１は、コイルバネが伸びた状態を示しており、一方、図４は、コイルバネが縮められた状態を示している。
【００２４】
この筒状部１０は、全体に細長の筒状を呈し、筒状部本体１２と、該筒状部本体１２の内端部に設けられた端部内側筒部１４とを有している。この筒状部本体１２は、円筒状を呈し、その内部には、ワイヤ本体４２やコイルバネ８０を収容するための円柱状の空間部が設けられている。この筒状部本体１２の周面のキャップ部２０側の端部近くには、開口部１６（掛止手段）が形成されている。この開口部１６は、筒状部本体１２の周方向に帯状に形成され、筒状部本体１２の表面から内部にまで貫通するように形成されている。なお、この開口部１６の筒状部本体１２における形成位置は、キャップ部２０を筒状部１０に装着した際にキャップ部２０に設けられた開口部２６と対応する位置となっている。
【００２５】
また、端部内側筒部１４は、円筒状を呈し、その外径は筒状部本体１２の内側の径とほぼ同一となっていて、この端部内側筒部１４は、筒状部本体１２の内部に嵌合するように形成されている。この端部内側筒部１４は、所定の長さで短く形成されていて、筒状部本体１２の内部に固定されている。この端部内側筒部１４の内径は、コイルバネ８０の外径よりも少なくとも小さく形成されていて、これにより、コイルバネ８０が端部内側筒部１４内に挿通できないようになっている。これにより、端部内側筒部１４は、コイルバネ８０の受け部として機能することになる。また、端部内側筒部１４の内径は、ワイヤ本体４２の径よりも大きく形成されていて、これにより、ワイヤ本体４２は、端部内側筒部１４を挿通できるようになっている。なお、上記の説明では、端部内側筒部１４が筒状部本体１２内に固定されているものとして説明したが、これには限られず、図７に示すように、筒状部本体１２の端部に端面部１２−１を形成し、この端面部１２−１に開口部１２−１ａを設けた構成としてもよい。この場合、開口部１２−１ａの大きさは、コイルバネ８０が挿通できない大きさとする。この図７に示す場合においては、この端面部１２−１がコイルバネ８０の受け部となる。
【００２６】
また、キャップ部２０は、筒状部１０の端部に装着されるキャップ状を呈し、円筒状の筒状部２２と、該筒状部２２の端部に設けられた端面部２４とを有していて、この筒状部２２と端面部２４とが一体に形成されている。ここで、筒状部２２は円筒状を呈するが、その内径は筒状部本体１２の外径とほぼ同一となっていて、このキャップ部２０を筒状部１０に対して軸線方向に摺動させることにより、キャップ部２０が筒状部１０の端部に装着されるようになっている。この筒状部２２の周面には、開口部（第２掛止手段）２６が形成されている。この開口部２６は、筒状部２２の周方向に帯状に形成されていて、筒状部２２の表面から内部にまで貫通するように形成されている。また、端面部２４は、筒状部２２の端部に形成されていて板状を呈している。この端面部２４には、開口部２４ａが形成されていて、この開口部２４ａは、ワイヤ本体４２の径よりも大きく形成され、ワイヤ本体４２が挿通できるようになっている。
【００２７】
なお、筒状部１０に設けられた開口部１６と、キャップ部２０に設けられた開口部２６は、ともに、作動部材１００の回動片１０６ｂ−１や、作動部材１２０の回動片１２６ｂ−１が挿入できる大きさに形成されていて、開口部２６の軸線方向の幅α２は、開口部１６の軸線方向の幅α１よりも大きく形成されている。ただし、開口部１６の軸線方向の幅と開口部２６の軸線方向の幅とは同じに形成してもよいし、開口部２６の軸線方向の幅が、開口部１６の軸線方向の幅よりも小さく形成されていてもよい。
【００２８】
また、内部筒状部３０は、コイルバネ８０の内側におけるキャップ部２０側の端部に設けられていて、細長円筒状の円筒状部３２と、該円筒状部３２の端部に一体に形成された突出部３４とを有している。この円筒状部３２は、その外径は、コイルバネ８０の内径よりも小さく形成されているとともに、円筒状部３２の内径は、ワイヤ本体４２の径よりも大きく形成されていて、これにより、コイルバネ８０は、内部筒状部３０の領域においても自由に伸縮し、また、ワイヤ本体４２は、内部筒状部３０内を容易に移動できるようになっている。また、突出部３４は、円筒状部３２よりも周方向に突出した形状となっていて、この突出部３４は、コイルバネ８０の端部とキャップ部２０の端面部２４間に設けられているので、これにより、内部筒状部３０は、コイルバネ８０の端部位置に固定され、コイルバネ８０内を移動してしまうことがない。
【００２９】
また、ワイヤ部４０は、ワイヤ本体（ワイヤ）４２と、ストッパ（停止手段）５４と、固定具６２と、ストッパ（規制手段）７０等を有している。ここで、ワイヤ本体４２は、複数の金属線を撚り合わせた可撓性のある金属ワイヤである。
【００３０】
このワイヤ本体４２のキャップ部２０側の端部においては、ループ状に形成した上でワイヤ本体４２の先端をワイヤ本体４２に縛って結び目５２が形成され、この結び目５２には、ワイヤ本体４２を挿通する挿通穴が形成されていて、ループの大きさが調整可能となっている。また、ワイヤ本体４２における結び目５２よりも先端側においては、ストッパ５４が取り付けられている。このストッパ５４は、筒状部５４ａと、ネジ部５４ｂとを有していて、該筒状部５４ａの周面には、内部まで貫通するネジ穴が形成されていて、ネジ部５４ｂが螺着されるようになっている。該筒状部５４ａにはワイヤ本体４２が挿通されている。そして、このネジ部５４ｂを締結することにより、ストッパ５４がワイヤ本体４２に固定されるようになっている。このストッパ５４は、動物捕獲装置が作動した際に、ワイヤ本体４２の先端のループの大きさが必要以上に小さくならないように設けられたものである。
【００３１】
このワイヤ部４０において、ワイヤ本体４２における結び目５２よりも端部側の部分、すなわち、ワイヤ本体４２においてループ状に形成されている部分と、該結び目５２と、ストッパ５４とで、ループ状部５０が形成される。
【００３２】
また、ワイヤ本体４２の上記ループ状部５０とは反対側の端部においては、ワイヤ本体４２の端部がループ状に形成され、ワイヤ本体４２の端部が固定具６２により固定されている。このようにワイヤ本体４２の端部をループ状に形成することにより、ループ状部（第２ループ状部）６０が形成される。このループ状部６０は、動物捕獲装置を仕掛ける場合に、樹木等に掛止するためのものである。
【００３３】
また、固定具６２のループ状部５０側には、上記ストッパ５４と同様の構成のストッパ７０が設けられている。つまり、このストッパ７０は、筒状部７０ａと、ネジ部７０ｂとを有していて、該筒状部７０ａの周面には、内部まで貫通するネジ穴が形成されていて、ネジ部７０ｂが螺着されるようになっている。該筒状部７０ａにはワイヤ本体４２が挿通されている。そして、このネジ部７０ｂを締結することにより、ストッパ７０がワイヤ本体４２に固定されるようになっている。このストッパ７０は、ワイヤ部４０における筒状部１０の位置を調整するために設けられているものである。
【００３４】
上記ワイヤ本体４２は、コイルバネ８０内に挿通されているとともに、内部筒状部３０内に挿通されている。
【００３５】
次に、コイルバネ８０は、コイルバネ８０が伸びた状態、つまり、コイルバネ８０の復元力を解放した状態では、筒状部１０の長さの数倍（具体的には、３倍〜５倍程度）の長さを有し、一方は、筒状部１０内に収納されており（図４等参照）、他方は、キャップ部２０内に収納されている。そして、このコイルバネ８０の内部には、内部筒状部３０とワイヤ本体４２が挿通されている。なお、このコイルバネ８０の一方の端部は、筒状部１０内において端部内側筒部１４に当接し、他方の端部は、キャップ部２０の内奧部（つまり、端面部２４の内側又は内部筒状部３０の突出部３４）に当接している。
【００３６】
なお、コイルバネ８０が伸びた状態では、ループ状部５０のループの大きさが最小となるように、結び目５２がワイヤ本体４２の端部側に移動した状態となっている。
【００３７】
次に、作動部材１００は、動物捕獲装置を作動させるための部材であり、装置本体部５を横方向に使用する場合に用いられるものである。つまり、作動部材１００は、図２に示すように、アーム部（支持部）１０２と、突出部１０４と、ヒンジ部１０６と、踏み板１０８とを有している。
【００３８】
このアーム部１０２は、帯状の板状部材（例えば、金属製の板状部材）を折曲してなる形状を有し、横部材１０２ａと、縦部材１０２ｂと、傾斜部材１０２ｃと、横部材１０２ｄとを有している。すなわち、横部材１０２ａは、アーム部１０２の端部にあり、その上面には、上方に突出する棒状の突出部１０４が設けられている。また、縦部材１０２ｂは、横部材１０２ａの端部から下方（つまり、縦方向（Ｚ１−Ｚ２方向））に連設され、この縦部材１０２ｂと横部材１０２ａとで略Ｌ字状を呈している。また、傾斜部材１０２ｃは、縦部材１０２ｂの下端から連設され、横部材１０２ａが設けられている側とは反対側に向けて斜め下方に傾斜して設けられている。また、横部材１０２ｄは、傾斜部材１０２ｃの端部からＸ２方向に連設されている。なお、横部材１０２ａと横部材１０２ｄとは、平行に設けられているといえる。アーム部１０２を構成する横部材１０２ａと縦部材１０２ｂと傾斜部材１０２ｃと横部材１０２ｄはともに平板状を呈し、また、幅方向（つまり、Ｙ１−Ｙ２方向）には、同じ幅に形成されている。
【００３９】
また、ヒンジ部１０６は、固定部１０６ａと回動部１０６ｂとを有し、固定部１０６ａと回動部１０６ｂとはヒンジ機構により回動可能に構成されている。そして、固定部１０６ａが縦部材１０２ｂに固定されているので、回動部１０６ｂが固定部１０６ａに対して回動するように構成されている。また、回動部１０６ｂは回動片（掛止片）１０６ｂ−１を有している。この回動片１０６ｂ−１は、平板状を呈し、キャップ部２０に設けられた開口部２６や、筒状部１０に設けられた開口部１６に挿通可能に形成されている。
【００４０】
また、踏み板１０８は、平板状（具体的には、円形の平板状）を呈し、横部材１０２ｄに固定されている。この踏み板１０８は、円形の板状に形成されているとしたが、内側に開口部を設けて全体にリング状としてもよい。このようにリング状にすることにより、踏み板１０８の軽量化を図ることができる。
【００４１】
なお、作動部材１００を構成する各部材、特に、踏み板１０８は、アルミニウム又はステンレス等無臭に近い素材により形成されており、これにより、動物に気づかれにくくすることができる。なお、踏み板１０８を合成樹脂により形成してもよい。
【００４２】
次に、作動部材（第２作動部材）１２０は、動物捕獲装置を作動させるための部材であり、装置本体部５を縦方向に使用する場合に用いられるものである。つまり、作動部材１２０は、図３に示すように、アーム部（支持部）１２２と、突出部１２４と、ヒンジ部１２６と、踏み板１２８とを有している。
【００４３】
このアーム部１２２は、帯状の板状部材（例えば、金属製の板状部材）を折曲してなる形状を有し、縦部材１２２ａと、傾斜部材１２２ｂと、横部材１２２ｃと、ガイド部材１２３とを有している。すなわち、縦部材１２２ａは、アーム部１２２の端部にあり、縦方向（Ｚ１−Ｚ２方向）に形成されている。この縦部材１２２ａの背面側の面（つまり、Ｘ１側の面）には、背面側に突出する棒状の突出部１２４が設けられている。また、傾斜部材１２２ｂは、縦部材１２２ａの下端から連設され、Ｘ２側に斜め下方に傾斜して設けられている。また、横部材１２２ｃは、傾斜部材１２２ｂの端部からＸ２方向に連設されている。ここで、縦部材１２２ａと横部材１２２ｃとは直角の方向を向いているといえる。また、ガイド部材１２３は、板状部材をコ字状に折曲した形状を有し、互いに並行な板状部１２３ａ、１２３ｃと、板状部１２３ａと板状部１２３ｃ間に形成された板状部１２３ｂとを有している。そして、板状部１２３ｂは、傾斜部材１２２ｂと当接して固定され、これにより、板状部１２３ａと板状部１２３ｃは、傾斜部材１２２ｂに対して直角に設けられている。なお、板状部１２３ａと板状部１２３ｃ間の距離は、筒状部１０の外径以上の大きさとなっている。これにより、動物捕獲装置を設置する際に、板状部１２３ａ、１２３ｃと傾斜部材１２２ｂとにより筒状部１０を囲むようにでき、これにより、作動部材１２０の姿勢を安定させることができる。なお、アーム部１２２を構成する縦部材１２２ａと傾斜部材１２２ｂと横部材１２２ｃはともに平板状を呈し、また、幅方向（つまり、Ｙ１−Ｙ２方向）には、同じ幅に形成されている。また、ガイド部材１２３と構成する各板状部１２３ａ、１２３ｂ、１２３ｃも平板状を呈している。
【００４４】
また、ヒンジ部１２６は、固定部１２６ａと回動部１２６ｂとを有し、固定部１２６ａと回動部１２６ｂとはヒンジ機構により回動可能に構成されている。そして、固定部１２６ａが縦部材１２２ａに固定されているので、回動部１２６ｂが固定部１２６ａに対して回動するように構成されている。また、回動部１２６ｂは回動片（掛止片）１２６ｂ−１を有している。この回動片１２６ｂ−１は、平板状を呈し、キャップ部２０に設けられた開口部２６や、筒状部１０に設けられた開口部１６に挿通可能に形成されている。
【００４５】
また、踏み板１２８は、板状（具体的には、円形の板状）を呈し、横部材１２２ｃに固定されている。この踏み板１２８は、円形の板状に形成されているとしたが、内側に開口部を設けて全体にリング状としてもよい。このようにリング状にすることにより、踏み板１２８の軽量化を図ることができる。
【００４６】
なお、作動部材１２０を構成する各部材、特に、踏み板１２８は、アルミニウム又はステンレス等無臭に近い素材により形成されており、これにより、動物に気づかれにくくすることができる。なお、踏み板１２８を合成樹脂により形成してもよい。
【００４７】
上記構成の動物捕獲装置の使用状態について説明する。本実施例の動物捕獲装置においては、上記作動部材１００を用いることにより装置本体部５を横方向に設置することができるが、さらに、作動部材１２０を用いることによって、装置本体部５を縦方向にも設置することができる。
【００４８】
第１に、作動部材１００を用いる場合について説明する。まず、作動部材１００を仕掛ける場所を確保する。つまり、作動部材１００を設置できるだけの深さに地面を掘って、穴Ｎを形成する（図５参照）。
【００４９】
そして、作動部材１００を装置本体部５にセットする。すなわち、まず、コイルバネ８０の付勢に抗してコイルバネ８０を縮めるように筒状部１０とキャップ部２０とが互いに近接するように移動させ、キャップ部２０が筒状部１０の先端に被覆するようにする。例えば、キャップ部２０を筒状部１０側に移動させて、キャップ部２０が筒状部１０の先端に被覆するようにする。つまり、筒状部１０内の空間にコイルバネ８０が収納された状態とする。なお、コイルバネ８０を縮めるように上記の作業を行うに際して、内部筒状部３０が案内パイプとして機能するので、容易に作業を行うことができる。そして、筒状部１０の開口部１６とキャップ部２０の開口部２６とが重なるようにした上で、作動部材１００の回動片１０６ｂ−１を差し込んで、図４に示すように、該回動片１０６ｂ−１が開口部２６及び開口部１６内に入り込み、回動片１０６ｂ−１が筒状部１０とキャップ部２０に掛止されるようにする。この状態では、コイルバネ８０は、筒状部１０とキャップ部２０により構成されるケース部７内に縮んだ状態で保持されることになる。
【００５０】
上記のように、回動片１０６ｂ−１の掛止が完了したら、図５に示すように、筒状部１０とキャップ部２０からなるケース部７を横方向に設け、突出部１０４の先端が筒状部１０の外表面に当接した状態で上記穴Ｎに作動部材１００を配置させて動物捕獲装置をセットする。この場合、作動部材１００における踏み板１０８ができる限り水平になるようにしてセットするのが好ましい。その際、装置本体部５は、地面の上に置いた状態でもよいが、図示しない固定部材により装置本体部５、特に、筒状部１０を地面に固定するのが好ましい。なお、回動片１０６ｂ−１を上記のように掛止させ、突出部１０４を筒状部１０に当接させて、横部材１０２ａと筒状部材１０とがほぼ平行になるようにすることにより、筒状部１０を水平方向にセットすれば、踏み板１０８も水平方向にセットされることになる。また、ワイヤ部４０におけるループ状部５０は、捕獲対象の動物の脚が十分入る大きさに広げて、穴Ｎの上端付近にセットする。また、ストッパ５４の位置は、所望の位置に調整しておく。つまり、コイルバネ８０が伸びてループ状部５０が小径化した場合に捕獲対象の動物の脚に十分巻き付き、さらに、ループ状部５０が必要以上に小径化して他の小動物の脚には巻き付かない位置にする。なお、ループ状部５０がセットしやすいように、穴Ｎの中に草等を入れておいてもよい。また、反対側にあるループ状部６０は、近くの樹木等に掛止させて、動物捕獲装置を固定しておく。つまり、例えば、この動物捕獲装置に掛かった動物が動物捕獲装置ごと移動してしまうのを防止する。なお、ループ状部６０を樹木等に掛止できる場合には、上記の筒状部１０の地面への固定は特には必要ない。ただし、装置本体部５を固定する意味では、ループ状部６０を掛止するとともに、筒状部１０を地面に固定するのが好ましい。以上のようにして、動物捕獲装置をセットしておく。
【００５１】
そして、動物が動物捕獲装置の位置に移動してきて、動物の脚が穴Ｎの中に入り、踏み板１０８を踏むと、突出部１０４を支点として、アーム部１０２が斜め下方（つまり、図５では、左下方向）に向けて回動し、これにより、回動片１０６ｂ−１が下方に移動して、筒状部１０との掛止が解除される。なお、実際には、回動片１０６ｂ−１が下方に移動することにより、回動片１０６ｂ−１は筒状部１０及びキャップ部２０との掛止が解除される。
【００５２】
すると、コイルバネ８０が勢いよく復元して伸びるため、キャップ部２０がループ状部５０における結び目５２を前方に押し出し、これにより、ループ状部５０の径が即座に小径化する。すると、ループ状部５０は動物の脚に巻き付き、ループ状部５０が動物の脚を捕獲する。なお、ループ状部５０により脚を縛られた動物は、この捕獲装置本体５ごと逃走しようとしても、ループ状部６０が樹木等に固定されているので、逃げることができない。
【００５３】
次に、第２に、作動部材１２０を用いる場合について説明する。まず、作動部材１００を用いる場合と同様に、作動部材１２０を仕掛ける場所を確保するとともに、装置本体部５を埋めるための穴を掘る。つまり、作動部材１２０を設置できるだけの深さに地面を掘って、穴Ｎを形成するとともに、装置本体部５の下側部分を埋めるための穴Ｍを形成する（図６参照）。
【００５４】
そして、作動部材１２０を装置本体部５にセットする。すなわち、まず、コイルバネ８０の付勢に抗してコイルバネ８０を縮めるように筒状部１０とキャップ部２０とが互いに近接するように移動させ、キャップ部２０が筒状部１０の先端に被覆するようにする。例えば、キャップ部２０を筒状部１０側に移動させて、キャップ部２０が筒状部１０の先端に被覆するようにする。つまり、筒状部１０内の空間にコイルバネ８０が収納された状態とする。なお、コイルバネ８０を縮めるように上記の作業を行うに際して、内部筒状部３０が案内パイプとして機能するので、容易に作業を行うことができる。そして、筒状部１０の開口部１６とキャップ部２０の開口部２６とが重なるようにした上で、作動部材１２０の回動片１２６ｂ−１を差し込んで、図４に示すように、該回動片１２６ｂ−１が開口部２６及び開口部１６内に入り込み、回動片１２６ｂ−１が筒状部１０とキャップ部２０に掛止されるようにする。この状態では、コイルバネ８０は、筒状部１０とキャップ部２０により構成されるケース部７内に縮んだ状態で保持されることになる。
【００５５】
上記のように、回動片１２６ｂ−１の掛止が完了したら、図６に示すように、筒状部１０の下側を穴Ｍに埋めるとともに、突出部１２４の先端が筒状部１０の外表面に当接した状態で、上記穴Ｎに作動部材１２０を配置させて動物捕獲装置をセットする。この場合、作動部材１２０における踏み板１２８ができる限り水平になるようにしてセットするのが好ましい。なお、回動片１２６ｂ−１を上記のように掛止させ、突出部１２４を筒状部１０に当接させて、縦部材１２２ａと筒状部材１０とがほぼ平行になるようにすることにより、筒状部１０を鉛直方向（つまり、水平方向に直角な方向）にセットすれば、踏み板１２８も水平方向にセットされることになる。また、ワイヤ部４０におけるループ状部５０は、捕獲対象の動物の脚が十分入る大きさに広げて、穴Ｎの上端付近にセットする。また、ストッパ５４の位置は、所望の位置に調整しておく。つまり、コイルバネ８０が伸びてループ状部５０が小径化した場合に捕獲対象の動物の脚に十分巻き付き、さらに、ループ状部５０が必要以上に小径化して他の小動物の脚には巻き付かない位置にする。なお、ループ状部５０がセットしやすいように、穴Ｎの中に草等を入れておいてもよい。また、反対側にあるループ状部６０については、筒状部１０の下側部分が地中に埋められて固定されているので、特に、このループ状部６０を樹木等に掛止する必要はないが、筒状部１０の下側部分を埋めた状態でループ状部６０を外部に露出させることができる場合には、ループ状部６０を樹木等に掛止するようにするのが好ましい。以上のようにして、動物捕獲装置をセットしておく。
【００５６】
そして、動物が動物捕獲装置の位置に移動してきて、動物の脚が穴Ｎの中に入り、踏み板１２８を踏むと、突出部１２４を支点として、アーム部１２２の突出部１２４よりも下側の部分が斜め下方（つまり、図６では、左下方向）に向けて回動し、これにより、回動片１２６ｂ−１が横方向に移動して、筒状部１０との掛止が解除される。なお、実際には、回動片１２６ｂ−１が横方向に移動することにより、回動片１２６ｂ−１は筒状部１０及びキャップ部２０との掛止が解除される。
【００５７】
すると、コイルバネ８０が勢いよく復元して伸びるため、ループ状部５０における結び目５２を前方に押し出し、これにより、ループ状部５０の径が即座に小径化する。すると、ループ状部５０は動物の脚に巻き付き、ループ状部５０が動物の脚を捕獲する。なお、ループ状部５０により脚を縛られた動物は、この装置本体部５ごと逃走しようとしても、ループ状部６０が樹木等に固定されているので、逃げることができない。
【００５８】
なお、上記作動部材１００を用いる場合としては、筒状部１０を横方向にして用いるので、筒状部１０を地中に埋めることができない場合や、ループ状部６０を掛止する樹木等が近くにある場合等が適しているといえる。また、上記作動部材１２０を用いる場合としては、筒状部１０を地中に埋めることができる場合や、ループ状部６０を掛止する樹木等がない場合が適しているといえる。
【００５９】
以上のように、本実施例の動物捕獲装置においては、筒状部１０とキャップ部２０とからなるケース部７を横方向にして配置することができるので、地面が固い等により該ケース部７を縦方向にセットすることができない場合においても、動物捕獲装置を仕掛けることができる。
【００６０】
また、作動部材１００と作動部材１２０とを使い分けることにより、筒状部１０とキャップ部２０とからなるケース部７を縦方向にも横方向にも配置することができるので、動物捕獲装置を配置する場所の状況に応じて使い分けることができる。
【実施例２】
【００６１】
次に、実施例２に基づく動物捕獲装置について説明する。本実施例に基づく動物捕獲装置は、横方向に使用するものであり、装置本体部２０５（図８、図１０参照）と、作動部材３００（図９参照）とを有している。
【００６２】
ここで、装置本体部２０５は、図８、図１０等に示すように構成され、筒状部２１０と、キャップ部２２０と、内部筒状部２３０と、ワイヤ部２４０と、コイルバネ２８０とを有している。なお、図８は、コイルバネが伸びた状態を示しており、一方、図１０は、コイルバネが縮められた状態を示している。
【００６３】
この筒状部２１０は、全体に細長の筒状を呈し、筒状部本体２１２と、該筒状部本体２１２の内端部に設けられた端部内側筒部２１４と、筒状部本体２１２の外周に設けられた固定部材（固定用部材）２１８とを有している。この筒状部本体２１２は、円筒状を呈し、その内部には、ワイヤ本体２４２やコイルバネ２８０を収容するための円柱状の空間部が設けられている。この筒状部本体２１２の周面のキャップ部２２０側の端部近くには、開口部２１６が形成されている。この開口部２１６は、円形状に形成され、筒状部本体２１２の表面から内部にまで貫通するように形成されている。なお、この開口部２１６の筒状部本体２１２における形成位置は、キャップ部２２０を筒状部２１０に装着した際にキャップ部２２０に設けられた開口部２２６と対応する位置となっている。
【００６４】
また、端部内側筒部２１４は、円筒状を呈し、その外径は筒状部本体２１２の内側の径とほぼ同一となっていて、この端部内側筒部２１４は、筒状部本体２１２の内部に嵌合するように形成されている。この端部内側筒部２１４は、所定の長さで短く形成されていて、筒状部本体２１２の内部に固定されている。この端部内側筒部２１４の内径は、コイルバネ２８０の外径よりも少なくとも小さく形成されていて、これにより、コイルバネ２８０が端部内側筒部２１４内に挿通できないようになっている。これにより、端部内側筒部２１４は、コイルバネ２８０の受け部として機能することになる。また、端部内側筒部２１４の内径は、ワイヤ本体２４２の径や、掛止用部材２４４の径よりも大きく形成されていて、これにより、ワイヤ本体２４２は、端部内側筒部２１４を挿通でき、また、掛止用部材２４４は、端部内側筒部２１４内を通過できるようになっている。なお、上記の説明では、端部内側筒部２１４が筒状部本体２１２内に固定されているものとして説明したが、これには限られず、図１２に示すように、筒状部本体２１２の端部に端面部２１２−１を形成し、この端面部２１２−１に開口部２１２−１ａを設けた構成としてもよい。この場合、開口部２１２−１ａの大きさは、コイルバネ８０が挿通できないが、上記掛止用部材２４４は通過できる大きさとする。この図１２に示す場合においては、この端面部２１２−１がコイルバネ２８０の受け部となる。
【００６５】
また、固定部材２１８は、筒状部２１０を地面等に固定するための部材であり、略リング状を呈するリング状部２１８ａと、該リング状部２１８ａの両側に突出した突出片部２１８ｂとを有している。この突出片部２１８ｂは、板状を呈し、釘等を挿通するための穴部が設けられている。
【００６６】
また、キャップ部２２０は、筒状部２１０の端部に装着されるキャップ状を呈し、円筒状の筒状部２２２と、該筒状部２２２の端部に設けられた端面部２２４とを有していて、この筒状部２２２と端面部２２４とが一体に形成されている。ここで、筒状部２２２は円筒状を呈するが、その内径は筒状部本体２１２の外径とほぼ同一となっていて、このキャップ部２２０を筒状部２１０に対して軸線方向に摺動させることにより、キャップ部２２０が筒状部２１０の端部に装着されるようになっている。この筒状部２２２の周面には、開口部２２６が形成されている。この開口部２２６は、円形に形成されていて、筒状部２２２の表面から内部にまで貫通するように形成されている。また、端面部２２４は、筒状部２２２の端部に形成されていて板状を呈している。この端面部２２４には、開口部２２４ａが形成されていて、この開口部２２４ａは、ワイヤ本体２４２の径よりも大きく形成され、ワイヤ本体２４２が挿通できるようになっている。
【００６７】
上記開口部２１６や開口部２２６は、キャップ部２２０を筒状部２１０に対して仮に止めておくためのものである。詳しくは後述する。
【００６８】
また、内部筒状部２３０は、コイルバネ２８０の内側におけるキャップ部２２０側の端部に設けられていて、細長円筒状の円筒状部２３２と、該円筒状部２３２の端部に一体に形成された突出部２３４とを有している。この円筒状部２３２は、その外径は、コイルバネ２８０の内径よりも小さく形成されているとともに、円筒状部２３２の内径は、ワイヤ本体２４２の径よりも大きく形成されていて、これにより、コイルバネ２８０は、内部筒状部２３０の領域においても自由に伸縮し、また、ワイヤ本体２４２は、内部筒状部２３０内を容易に移動できるようになっている。また、突出部２３４は、円筒状部２３２よりも周方向に突出した形状となっていて、この突出部２３４は、コイルバネ２８０の端部とキャップ部２２０の端面部２２４間に設けられているので、これにより、内部筒状部２３０は、コイルバネ２８０の端部位置に固定され、コイルバネ２８０内を移動してしまうことがない。
【００６９】
また、ワイヤ部２４０は、ワイヤ本体２４２と、ストッパ（停止手段）２５４と、固定具２６２と、ストッパ（規制手段）２７０等を有している。ここで、ワイヤ本体２４２は、複数の金属線を撚り合わせた可撓性のある金属ワイヤである。
【００７０】
このワイヤ本体２４２の筒状部２１０側の端部においては、ループ状に形成した上でワイヤ本体２４２の先端をワイヤ本体２４２に縛って結び目２５２が形成され、この結び目２５２には、ワイヤ本体２４２を挿通する挿通穴が形成されていて、ループの大きさが調整可能となっている。また、ワイヤ本体２４２における結び目２５２よりも先端側においては、ストッパ２５４が取り付けられている。このストッパ２５４は、筒状部２５４ａと、ネジ部２５４ｂとを有していて、該筒状部２５４ａの周面には、内部まで貫通するネジ穴が形成されていて、ネジ部２５４ｂが螺着されるようになっている。該筒状部２５４ａにはワイヤ本体２４２が挿通されている。そして、このネジ部２５４ｂを締結することにより、ストッパ２５４がワイヤ本体２４２に固定されるようになっている。このストッパ２５４は、動物捕獲装置が作動した際に、ワイヤ本体２４２の先端のループの大きさが必要以上に小さくならないように設けられたものである。
【００７１】
このワイヤ部２４０において、ワイヤ本体２４２における結び目２５２よりも端部側の部分、すなわち、ワイヤ本体２４２においてループ状に形成されている部分と、該結び目２５２と、ストッパ２５４とで、ループ状部２５０が形成される。
【００７２】
また、ワイヤ本体２４２の上記ループ状部２５０とは反対側の端部、つまり、キャップ部２２０側の端部においては、ワイヤ本体２４２の端部がループ状に形成され、ワイヤ本体２４２の端部が固定具２６２により固定されている。このようにワイヤ本体２４２の端部をループ状に形成することにより、ループ状部（第２ループ状部）２６０が形成される。このループ状部２６０は、動物捕獲装置を仕掛ける場合に、樹木等に掛止するためのものである。
【００７３】
また、固定具２６２のループ状部２５０側には、上記ストッパ２５４と同様の構成のストッパ２７０が設けられている。つまり、このストッパ２７０は、筒状部２７０ａと、ネジ部２７０ｂとを有していて、該筒状部２７０ａの周面には、内部まで貫通するネジ穴が形成されていて、ネジ部２７０ｂが螺着されるようになっている。該筒状部２７０ａにはワイヤ本体２４２が挿通されている。そして、このネジ部２７０ｂを締結することにより、ストッパ２７０がワイヤ本体２４２に固定されるようになっている。このストッパ２７０は、ワイヤ部２４０におけるキャップ部２２０の位置を調整するために設けられているものである。
【００７４】
上記ワイヤ本体２４２は、コイルバネ２８０内に挿通されているとともに、内部筒状部２３０内に挿通されている。
【００７５】
また、ワイヤ本体２４２の中途位置には、掛止用部材２４４が取り付けられている。この掛止用部材２４４は、円筒状を呈し、ワイヤ本体２４２の外周に固定されている。なお、この掛止用部材２４４の取付け位置は、キャップ部２２０を筒状部２１０に被覆した状態では、図１０に示すように、この掛止用部材２４４が筒状部２１０のループ状部２５０側の端部から露出するような位置とする。
【００７６】
次に、コイルバネ２８０は、コイルバネ２８０が伸びた状態、つまり、コイルバネ２８０の復元力を解放した状態では、筒状部２１０の長さの数倍（具体的には、３倍〜５倍程度）の長さを有し、一方は、筒状部２１０内に収納されており（図１２参照）、他方は、キャップ部２２０内に収納されている。そして、このコイルバネ２８０の内部には、内部筒状部２３０とワイヤ本体２４２が挿通されている。なお、このコイルバネ２８０の一方の端部は、筒状部２１０内において端部内側筒部２１４に当接し、他方の端部は、キャップ部２２０の内奧部（つまり、端面部２２４の内側又は内部筒状部２３０の突出部２３４）に当接している。
【００７７】
なお、コイルバネ２８０が伸びた状態では、ループ状部２５０のループの大きさが最小となるように、結び目２５２がワイヤ本体２４２の端部側に移動した状態となっている。
【００７８】
次に、作動部材３００は、動物捕獲装置を作動させるための部材である。つまり、作動部材３００は、図９に示すように、アーム部３０２と、ヒンジ部３０６と、踏み板３０８とを有している。
【００７９】
このアーム部（支持部）３０２は、帯状の板状部材（例えば、金属製の板状部材）を折曲してなる形状を有し、横部材３０２ａと、縦部材３０２ｂと、傾斜部材３０２ｃと、横部材３０２ｄとを有している。すなわち、横部材３０２ａは、アーム部３０２の端部にある。また、縦部材３０２ｂは、横部材３０２ａの端部から下方（つまり、縦方向（Ｚ１−Ｚ２方向））に連設され、この縦部材３０２ｂと横部材３０２ａとで略Ｌ字状を呈している。また、傾斜部材３０２ｃは、縦部材３０２ｂの下端から連設され、横部材３０２ａが設けられている側とは反対側に向けて斜め下方に傾斜して設けられている。また、横部材３０２ｄは、傾斜部材３０２ｃの端部からＸ２方向に連設されている。なお、横部材３０２ａと横部材３０２ｄとは、平行に設けられているといえる。アーム部３０２を構成する横部材３０２ａと縦部材３０２ｂと傾斜部材３０２ｃと横部材３０２ｄはともに平板状を呈し、また、幅方向（つまり、Ｙ１−Ｙ２方向）には、同じ幅に形成されている。
【００８０】
また、ヒンジ部３０６は、固定部３０６ａと回動部３０６ｂとを有し、固定部３０６ａと回動部３０６ｂとはヒンジ機構により回動可能に構成されている。そして、固定部３０６ａが縦部材３０２ｂに固定されているので、回動部３０６ｂが固定部３０６ａに対して回動するように構成されている。また、回動部３０６ｂは回動片（掛止片）３０６ｂ−１を有している。この回動片３０６ｂ−１は、平板状を呈し、その上側には、切欠部Ｋが設けられている。この切欠部ＫはＵ字状、すなわち、半円形状と方形状とを合わせた形状を呈していて、該半円形状における直径の大きさは、ワイヤ本体２４２の直径以上の大きさを有し、また、該半円形状における直径の大きさは、掛止用部材２４４の直径よりも小さくなっている。これにより、図１０に示すように、この回動片３０６ｂ−１と掛止用部材２４４によってコイルバネ２８０が縮んだ状態で固定させておくことができる。
【００８１】
また、踏み板３０８は、平板状（具体的には、円形の平板状）を呈し、横部材３０２ｄに固定されている。この踏み板３０８は、円形の板状に形成されているとしたが、内側に開口部を設けて全体にリング状としてもよい。このようにリング状にすることにより、踏み板３０８の軽量化を図ることができる。
【００８２】
なお、作動部材３００を構成する各部材、特に、踏み板３０８は、アルミニウム又はステンレス等無臭に近い素材により形成されており、これにより、動物に気づかれにくくすることができる。なお、踏み板３０８を合成樹脂により形成してもよい。
【００８３】
上記構成の動物捕獲装置の使用状態について説明する。まず、作動部材３００を仕掛ける場所を確保する。つまり、作動部材３００を設置できるだけの深さに地面を掘って、穴Ｎを形成する（図１１参照）。
【００８４】
そして、作動部材３００を装置本体部２０５にセットする。すなわち、まず、コイルバネ２８０の付勢に抗してコイルバネ２８０を縮めるように筒状部２１０とキャップ部２２０とが互いに近接するように移動させ、キャップ部２２０が筒状部２１０の先端に被覆するようにする。例えば、筒状部２１０をキャップ部２２０側に移動させて、キャップ部２２０が筒状部２１０の先端に被覆するようにする。つまり、筒状部２１０内の空間にコイルバネ２８０が収納された状態とする。なお、コイルバネ２８０を縮めるように上記の作業を行うに際して、内部筒状部２３０が案内パイプとして機能するので、容易に作業を行うことができる。そして、キャップ部２２０が筒状部２１０の先端に被覆する状態では、掛止用部材２４４は、図１０に示すように、筒状部２１０から露出するので、掛止用部材２４４と筒状部２１０の間に作動部材３００の回動片３０６ｂ−１を入れて、切欠部Ｋ内にワイヤ本体２４２があるようにする。以上のようにして、回動片３０６ｂ−１を掛止用部材２４４に掛止させてセットする。すると、掛止用部材２４４がこの回動片３０６ｂ−１に止められて、コイルバネ２８０が縮んだ状態で保持される。
【００８５】
なお、上記のコイルバネ２８０を縮める作業は所定の力が必要となることから、キャップ部２２０が筒状部２１０に被覆した状態としたら、開口部２２６と開口部２１６が重なった状態として、この開口部２１６、２２６に棒状部材を差し込み、一旦コイルバネ２８０が縮んだ状態を保持して、その上で、回動片３０６ｂ−１をセットするようにすれば、安全に作業を行うことができる。
【００８６】
上記のように、回動片３０６ｂ−１のセットが完了したら、図１１に示すように、筒状部２１０とキャップ部２２０からなるケース部２０７を横方向に設け、横板部３０２ａが筒状部２１０の外表面に当接した状態で上記穴Ｎに作動部材３００を配置させて動物捕獲装置をセットする。この場合、作動部材３００における踏み板３０８ができる限り水平になるようにしてセットするのが好ましい。その際、筒状部２１０を固定する。つまり、筒状部２１０を固定部材２１８を介して地面に固定する。つまり、固定部材２１８の突出片部２１８ｂに釘等を打ち込むことにより筒状部２１０を地面に固定させる。なお、筒状部２１０を地面の上に置いた状態としてもよい。なお、回動片３０６ｂ−１を上記のように掛止させ、横部材３０２ａを筒状部２１０に当接させて、横部材３０２ａと筒状部材２１０とがほぼ平行になるようにすることにより、筒状部２１０を水平方向にセットすれば、踏み板３０８も水平方向にセットされることになる。また、ワイヤ部２４０におけるループ状部２５０は、捕獲対象の動物の脚が十分入る大きさに広げて、穴Ｎの上端付近にセットする。また、ストッパ２５４の位置は、所望の位置に調整しておく。つまり、コイルバネ２８０が伸びてループ状部２５０が小径化した場合に捕獲対象の動物の脚に十分巻き付き、さらに、ループ状部２５０が必要以上に小径化して他の小動物の脚には巻き付かない位置にする。なお、ループ状部２５０がセットしやすいように、穴Ｎの中に草等を入れておいてもよい。また、反対側にあるループ状部２６０は、近くの樹木等に掛止させて、動物捕獲装置を固定しておく。つまり、例えば、この動物捕獲装置に掛かった動物が動物捕獲装置ごと移動してしまうのを防止する。なお、ループ状部２６０を樹木等に掛止できる場合には、上記の筒状部２１０の地面への固定は特には必要ない。ただし、装置本体部２０５を固定する意味では、ループ状部２６０を掛止するとともに、筒状部２１０を地面に固定するのが好ましい。以上のようにして、動物捕獲装置をセットしておく。
【００８７】
そして、動物が動物捕獲装置の位置に移動してきて、動物の脚が穴Ｎの中に入り、踏み板３０８を踏むと、アーム部３０２が下方に移動し、これにより、回動片３０６ｂ−１が下方に移動して、掛止用部材２４４との掛止が解除される。
【００８８】
すると、コイルバネ２８０が勢いよく復元して伸びるため、これにより、筒状部２１０とループ状部２５０とが相対的に接近し、筒状部２１０がループ状部２５０における結び目２５２が筒状部２１０によりワイヤ部２４０の端部側に押された状態となり、これにより、ループ状部２５０の径が即座に小径化する。すると、ループ状部２５０は動物の脚に巻き付き、ループ状部２５０が動物の脚を捕獲する。なお、ループ状部２５０により脚を縛られた動物は、この捕獲装置本体２０５ごと逃走しようとしても、ループ状部２６０が樹木等に固定されているので、逃げることができない。
【００８９】
以上のように、本実施例の動物捕獲装置においては、筒状部２１０とキャップ部２２０とからなるケース部２０７を横方向にして配置することができるので、地面が固い等により該ケース部２０７を縦方向にセットすることができない場合においても、動物捕獲装置を仕掛けることができる。
【００９０】
なお、上記実施例１における結び目５２や、実施例２における結び目２５２については、結び目の代わりに、ワイヤ本体４２、２４２の先端がワイヤ本体４２、２４２に沿ってスライドできる構成であれば、他の構成でもよい。例えば、筒状の部材にワイヤ本体４２、２４２に通し、該筒状の部材にワイヤ本体４２、２４２の先端を固定した構成であってもよい。
【図面の簡単な説明】
【００９１】
【図１】本発明の実施例１における動物捕獲装置を示す斜視図である。
【図２】作動部材の構成を示す斜視図である。
【図３】他の作動部材の構成を示す斜視図である。
【図４】本発明の実施例１における動物捕獲装置の使用状態における要部断面図である。
【図５】本発明の実施例１における動物捕獲装置を横方向に設置して使用する場合の使用状態を示す説明図である。
【図６】本発明の実施例１における動物捕獲装置を縦方向に設置して使用する場合の使用状態を示す説明図である。
【図７】筒状部における他の例を示す要部断面図である。
【図８】本発明の実施例２における動物捕獲装置を示す斜視図である。
【図９】作動部材の構成を示す斜視図である。
【図１０】本発明の実施例２における動物捕獲装置の使用状態における要部断面図である。
【図１１】本発明の実施例２における動物捕獲装置の使用状態を示す説明図である。
【図１２】筒状部における他の例を示す要部断面図である。
【符号の説明】
【００９２】
５、２０５  装置本体部
１０、２１０  筒状部
１６、２６  ２１６、２２６  開口部
２０、２２０  キャップ部
３０、２３０  内部筒状部
４０、２４０  ワイヤ部
４２、２４２  ワイヤ本体
５０、６０、２５０、２６０  ループ状部
５２、２５２  結び目
５４、７０、２５４、２７０  ストッパ
１００、１２０、３００  作動部材
１０２、１２２、３０２  アーム部
１０６、１２６、３０６  ヒンジ部
１０６ｂ−１、１２６ｂ−１、３０６ｂ−１  回動片
１０８、１２８、３０８  踏み板
【図１】
2006006234.tif 000003
【図２】
2006006234.tif 000004
【図３】
2006006234.tif 000005
【図４】
2006006234.tif 000006
【図５】
2006006234.tif 000007
【図６】
2006006234.tif 000008
【図７】
2006006234.tif 000009
【図８】
2006006234.tif 000010
【図９】
2006006234.tif 000011
【図１０】
2006006234.tif 000012
【図１１】
2006006234.tif 000013
【図１２】
2006006234.tif 000014